【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
主走査を往復で双方向に行いつつ、印刷画像信号に応じて印刷媒体上に画像を印刷する双方向印刷機能を有する双方向印刷装置であって、
前記印刷媒体上の各画素位置にドットを記録する印刷ヘッドと、
前記印刷媒体と前記印刷ヘッドの少なくとも一方を移動させることによって双方向の主走査を行う主走査駆動部と、
前記印刷媒体と前記印刷ヘッドの少なくとも一方を移動させることによって副走査を行う副走査駆動部と、
前記印刷ヘッドに駆動信号を与えて前記印刷媒体上に印刷を行わせるヘッド駆動部と、
双方向印刷の制御を行う制御部と、を備え、
前記制御部は、
往路と復路における主走査方向の記録位置のズレを減少させるための調整値を用いて、往路と復路における主走査方向の記録位置を調整する記録位置調整部を備え、
前記記録位置調整部は、
前記印刷ヘッドによって形成される特定の基準ドットに関して、往路と復路における主走査方向の記録位置のズレを補正するための基準補正値を格納する第１のメモリと、
前記基準補正値を補正するために予め準備された相対補正値を格納するための第２のメモリと、
少なくとも前記基準補正値を用いて前記調整値を決定する調整値決定部と、
を備え、
前記調整値決定部は、前記基準補正値を前記相対補正値で補正することによって前記調整値を決定する第１の調整モードと、前記基準補正値を前記調整値としてそのまま使用する第２の調整モードとを備え、
前記調整値決定部は、カラー印刷を行うときには前記第１の調整モードに従って記録位置ズレの補正を実行し、白黒印刷を行うときには前記第２の調整モードに従って記録位置ズレの補正を実行する、双方向印刷装置。
【請求項２】
請求項１記載の双方向印刷装置であって、
前記印刷ヘッドは、複数のノズル列を有し、
前記基準補正値は、前記複数のノズル列の中の特定の基準ノズル列に関して往路と復路における主走査方向の記録位置のズレを補正するための補正値であり、
前記相対補正値は、前記複数のノズル列の中の前記基準ノズル列以外の他のノズル列に関して、前記基準ノズル列に対する相対的な記録位置のズレを補正するための補正値である、双方向印刷装置。
【請求項３】
請求項２記載の双方向印刷装置であって、
前記基準ノズル列は、ブラックインクを吐出するためのブラックノズル列であり、
前記基準ノズル列以外の他のノズル列は、カラーインクを吐出するためのカラーノズル列を含む、双方向印刷装置。
【請求項４】
請求項２または３記載の双方向印刷装置であって、
前記第２のメモリは、前記相対補正値として、前記基準ノズル列以外の他のノズル列に対して共通に適用される値を格納する、双方向印刷装置。
【請求項５】
請求項２または３記載の双方向印刷装置であって、
前記第２のメモリは、前記相対補正値として、前記基準ノズル列以外の他のノズル列に対してノズル列毎に独立に適用される値を格納する、双方向印刷装置。
【請求項６】
請求項２または３記載の双方向印刷装置であって、
前記第２のメモリは、前記相対補正値として、同一のインクを吐出するノズル列のグループ毎に対して独立に適用される値を格納する、双方向印刷装置。
【請求項７】
請求項１記載の双方向印刷装置であって、
前記印刷ヘッドは、少なくとも大きさが異なるＮ種類（Ｎは２以上の整数）のドットを形成可能であり、
前記基準ドットは前記Ｎ種類のドットの中から選択されたドットであり、
前記第１の調整モードにおいては、前記調整値が前記Ｎ種類のドットに共通に適用される、双方向印刷装置。
【請求項８】
請求項７記載の双方向印刷装置であって、
前記基準ドットは、前記Ｎ種類のドットの中の最も大きなドットである、双方向印刷装置。
【請求項９】
請求項７または８記載の双方向印刷装置であって、
前記相対補正値は、前記Ｎ種類のドットの中の前記基準ドットよりも小さなドットを含む少なくとも１つの対象ドットに関する位置ズレ量と、前記基準ドットに関する位置ズレ量の差分を実質的に表す値である、双方向印刷装置。
【請求項１０】
請求項９記載の双方向印刷装置であって、
前記対象ドットは、前記Ｎ種類のドットの中の最も小さなドットである、双方向印刷装置。
【請求項１１】
請求項９記載の双方向印刷装置であって、
前記対象ドットが大きさの異なる複数のドットを含むときに、前記対象ドットに関する位置ズレ量として前記複数のドットに関する位置ズレ量の平均値が使用される、双方向印刷装置。
【請求項１２】
請求項９記載の双方向印刷装置であって、
前記基準ドットは、ブラックインクで形成されたドットであり、
前記対象ドットは、有彩色インクで形成されたドットである、双方向印刷装置。
【請求項１３】
請求項１ないし１２のいずれかに記載の双方向印刷装置であって、
前記基準補正値は、前記基準ドットを用いて印刷媒体上に印刷された位置ズレ検査用パターンの中から選択された好ましい補正状態を示す補正情報に従って決定される、双方向印刷装置。
【請求項１４】
請求項１ないし１２のいずれかに記載の双方向印刷装置であって、
前記双方向印刷装置は、複数の主走査速度で主走査を実行可能であり、
前記第２のメモリは、前記相対補正値として、前記複数の主走査速度のそれぞれに対して独立に適用される値を格納する、双方向印刷装置。
【請求項１５】
請求項１ないし１２のいずれかに記載の双方向印刷装置であって、
前記双方向印刷装置は、インク吐出速度が互いに異なる複数のドット吐出モードでインクを吐出することが可能であり、
前記第２のメモリは、前記相対補正値として、前記複数のドット吐出モードのそれぞれに対して独立に適用される値を格納する、双方向印刷装置。
【請求項１６】
請求項１ないし１２のいずれかに記載の双方向印刷装置であって、
前記第２のメモリは、前記双方向印刷装置内に設けられた不揮発性メモリである、双方向印刷装置。
【請求項１７】
請求項１ないし１２のいずれかに記載の双方向印刷装置であって、
前記第２のメモリは、前記印刷ヘッドと共に前記双方向印刷装置に着脱され得るように、前記印刷ヘッドに固定されている、双方向印刷装置。
【請求項１８】
印刷媒体上の各画素位置にドットを記録する印刷ヘッドを備えた印刷装置を用いて、主走査を往復で双方向に行いつつ、印刷画像信号に応じて前記印刷媒体上に画像を印刷する双方向印刷方法であって、
（ａ）特定の基準ドットに関して、往路と復路における主走査方向の記録位置のズレを補正するための基準補正値を設定する工程と、
（ｂ）少なくとも前記基準補正値を用いて往路と復路における主走査方向の記録位置のズレを減少させるための調整値を決定する工程と、
（ｃ）前記調整値を用いて往路と復路における主走査方向の記録位置を調整する工程と、を備え、
前記工程（ｂ）は、
カラー印刷を行うときには、前記基準補正値を補正するために予め準備された相対補正値で前記基準補正値を補正する第１の調整モード従って記録位置ズレの補正を実行し、
白黒印刷を行うときには、前記基準補正値を前記調整値としてそのまま使用する第２の調整モードに従って記録位置ズレの補正を実行する工程を含む、双方向印刷方法。
【請求項１９】
請求項１８記載の双方向印刷方法であって、
前記印刷ヘッドは、複数のノズル列を有し、
前記基準補正値は、前記複数のノズル列の中の特定の基準ノズル列に関して往路と復路における主走査方向の記録位置のズレを補正するための補正値であり、
前記相対補正値は、前記複数のノズル列の中の前記基準ノズル列以外の他のノズル列に関して、前記基準ノズル列に対する相対的な記録位置のズレを補正するための補正値である、双方向印刷方法。
【請求項２０】
請求項１９記載の双方向印刷方法であって、
前記基準ノズル列は、ブラックインクを吐出するためのブラックノズル列であり、
前記基準ノズル列以外の他のノズル列は、カラーインクを吐出するためのカラーノズル列を含む、双方向印刷方法。
【請求項２１】
請求項１９または２０記載の双方向印刷方法であって、
前記相対補正値は、前記基準ノズル列以外の他のノズル列に対して共通に適用される、双方向印刷方法。
【請求項２２】
請求項１９または２０記載の双方向印刷方法であって、
前記相対補正値は、前記基準ノズル列以外の他のノズル列に対してノズル列毎に独立に適用される、双方向印刷方法。
【請求項２３】
請求項１９または２０記載の双方向印刷方法であって、
前記相対補正値として、同一のインクを吐出するノズル列のグループ毎に対して独立に適用される、双方向印刷方法。
【請求項２４】
請求項１８記載の双方向印刷方法であって、
前記印刷ヘッドは、少なくとも大きさが異なるＮ種類（Ｎは２以上の整数）のドットを形成可能であり、
前記基準ドットは前記Ｎ種類のドットの中から選択されたドットであり、
前記第１の調整モードにおいては、前記調整値が前記Ｎ種類のドットに共通に適用される、双方向印刷方法。
【請求項２５】
請求項２４記載の双方向印刷方法であって、
前記基準ドットは、前記Ｎ種類のドットの中の最も大きなドットである、双方向印刷方法。
【請求項２６】
請求項２４または２５記載の双方向印刷方法であって、
前記相対補正値は、前記Ｎ種類のドットの中の前記基準ドットよりも小さなドットを含む少なくとも１つの対象ドットに関する位置ズレ量と、前記基準ドットに関する位置ズレ量の差分を実質的に表す値である、双方向印刷方法。
【請求項２７】
請求項２６記載の双方向印刷方法であって、
前記対象ドットは、前記Ｎ種類のドットの中の最も小さなドットである、双方向印刷方法。
【請求項２８】
請求項２６記載の双方向印刷方法であって、
前記対象ドットが大きさの異なる複数のドットを含むときに、前記対象ドットに関する位置ズレ量として前記複数のドットに関する位置ズレ量の平均値が使用される、双方向印刷方法。
【請求項２９】
請求項２６記載の双方向印刷方法であって、
前記基準ドットは、ブラックインクで形成されたドットであり、
前記対象ドットは、有彩色インクで形成されたドットである、双方向印刷方法。
【請求項３０】
請求項１８ないし２９のいずれかに記載の双方向印刷方法であって、
前記基準補正値は、前記基準ドットを用いて印刷媒体上に印刷された位置ズレ検査用パターンの中から選択された好ましい補正状態を示す補正情報に従って決定される、双方向印刷方法。
【請求項３１】
請求項１８ないし２９のいずれかに記載の双方向印刷方法であって、
前記印刷装置は、複数の主走査速度で主走査を実行可能であり、
前記相対補正値は、前記複数の主走査速度のそれぞれに対して独立に適用される、双方向印刷方法。
【請求項３２】
請求項１８ないし２９のいずれかに記載の双方向印刷方法であって、
前記印刷装置は、インク吐出速度が互いに異なる複数のドット吐出モードでインクを吐出することが可能であり、
前記相対補正値は、前記複数のドット吐出モードのそれぞれに対して独立に適用される、双方向印刷方法。
【請求項３３】
印刷媒体上の各画素領域内に、大きさが異なるＮ種類（Ｎは２以上の整数）のドットを記録することが可能な印刷装置を備えたコンピュータに、主走査を往復で双方向に行いつつ印刷画像信号に応じて前記印刷媒体上に画像を印刷させるためのコンピュータプログラムを記録したコンピュータ読み取り可能な記録媒体であって、
特定の基準ドットに関して往路と復路における主走査方向の記録位置のズレを補正するための基準補正値を予め準備された相対補正値で補正する第１の調整モードと、前記基準補正値を前記調整値としてそのまま使用する第２の調整モードとのいずれかに従って、往路と復路における主走査方向の記録位置のズレを減少させるための調整値を決定し、前記調整値を使用して往路と復路における主走査方向の記録位置を調整する機能を、前記コンピュータに実現させるためのコンピュータプログラムを記録したコンピュータ読み取り可能な記録媒体であり、
前記コンピュータプログラムは、カラー印刷を行うときには前記第１の調整モード従って記録位置ズレの補正を実行し、白黒印刷を行うときには前記第２の調整モードに従って記録位置ズレの補正を実行する、コンピュータ読み取り可能な記録媒体。
【手続補正２】
【補正対象書類名】明細書
【補正対象項目名】０００６
【補正方法】変更
【補正の内容】
【０００６】
上述の課題の少なくとも一部を解決するため、本発明では、特定の基準ドットに関して、往路と復路における主走査方向の記録位置のズレを補正するための基準補正値を設定し、少なくとも前記基準補正値を用いて往路と復路における主走査方向の記録位置のズレを減少させるための調整値を決定する。そして、この調整値を用いて往路と復路における主走査方向の記録位置を調整する。調整モードとしては、基準補正値を補正するために予め準備された相対補正値で基準補正値を補正する第１の調整モードと、基準補正値を調整値としてそのまま使用する第２の調整モードとがある。このうち、カラー印刷を行うときには第１の調整モードに従って記録位置ズレの補正を実行し、白黒印刷を行うときには第２の調整モードに従って記録位置ズレの補正を実行する。
【手続補正３】
【補正対象書類名】明細書
【補正対象項目名】０００７
【補正方法】変更
【補正の内容】
【０００７】
こうすれば、基準補正値や相対補正値を用いて位置ズレ補正の調整値を決定することができるので、種々の印刷条件に適した態様で、往路と復路における主走査方向の記録位置のズレを緩和して、画質を向上させることが可能である。また、カラー印刷時には各ノズル列の記録位置のズレが全体として軽減され、一方、白黒印刷時には基準ノズル列（このときにはブラックノズル列）の記録位置のズレのみが軽減される。従って、カラー印刷と白黒印刷のそれぞれの場合に、効果的に記録位置のズレを軽減することができる。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】